(57)【要約】【課題】下着らしい外観を得つつ、排泄物の漏れが抑制されたパンツ型吸収性物品を提供すること。【解決手段】パンツ型吸収性物品（１）において、縦方向に沿った吸収性本体（１０）と、横方向に伸縮する一対のベルト部（２０）のそれぞれとを接合する一対の接合部（２）が、前側及び後側に設けられ、接合部（２）は縦方向において胴回り開口部（ＢＨ）側から脚回り開口部（ＬＨ）に向かって横方向の外側へ傾斜し、一対の接合部（２）間は横方向に伸縮せず、吸収性コア（１２１）は圧搾領域（４１）を有しており、その圧搾領域（４１）は、接合部（２）の垂線と交差する方向に長さを有し、垂線上に存在し、且つ、縦中心線に対して当該接合部と横方向の同じ側に存在すること。【選択図】図６
2018000268.tif 000002
【特許請求の範囲】
【請求項１】
縦方向と横方向と前後方向とを有し、胴回り開口部及び一対の脚回り開口部が形成されているパンツ型吸収性物品であって、
吸収性コアを備え、前記縦方向に沿った吸収性本体と、
前記吸収性本体の前記横方向の両側にそれぞれ配され、前記横方向に伸縮する一対のベルト部と、を有し、
少なくとも前記吸収性本体と前記一対のベルト部のそれぞれとを接合する一対の接合部が、前記前後方向の前側及び後側にそれぞれ設けられ、
前記接合部は、前記縦方向において、前記胴回り開口部側から前記脚回り開口部に向かって、前記横方向の外側へ傾斜しており、
前記前後方向の少なくとも一方側において、
前記一対の接合部間は前記横方向に伸縮せず、
前記吸収性コアは、前記吸収性コアの密度が周囲に比べて高く、厚さ方向に凹んでいる圧搾領域を有しており、
前記圧搾領域は、前記一対の接合部のうちの少なくとも一方の前記接合部に対する垂線と交差する方向に長さを有する領域であって、前記垂線上に存在し、且つ、前記吸収性本体を前記横方向に二分する縦中心線に対して、当該接合部と前記横方向の同じ側に存在すること、
を特徴とするパンツ型吸収性物品。
【請求項２】
請求項１に記載のパンツ型吸収性物品であって、
前記圧搾領域は前記垂線に交差していることを特徴とするパンツ型吸収性物品。
【請求項３】
請求項１又は請求項２に記載のパンツ型吸収性物品であって、
前記圧搾領域が前記長さを有する方向と前記垂線との成す角度が４５度以上１３５度以下であることを特徴とするパンツ型吸収性物品。
【請求項４】
請求項１から請求項３の何れか１項に記載のパンツ型吸収性物品であって、
前記垂線は前記接合部の垂直二等分線であることを特徴とするパンツ型吸収性物品。
【請求項５】
請求項１から請求項４の何れか１項に記載のパンツ型吸収性物品であって、
前記吸収性コアは、着用者の腹部に当接する前身頃域、着用者の股下に当接する股下域、及び、着用者の臀部に当接する後身頃域を有し、
前記前身頃域と前記後身頃域の少なくとも一方から前記股下域にかけて、前記圧搾領域が連続しているか、又は、
前記前身頃域と前記後身頃域の少なくとも一方から前記股下域にかけて、前記圧搾領域と、単数又は複数の別の圧搾領域とが、前記縦方向に並び、
且つ、前記縦方向に隣り合う前記圧搾領域と前記別の圧搾領域との前記縦方向の間隔、及び、前記縦方向に隣り合う前記別の圧搾領域同士の前記縦方向の間隔が、前記圧搾領域の前記縦方向の長さよりも短いこと、
を特徴とするパンツ型吸収性物品。
【請求項６】
請求項１から請求項５の何れか１項に記載のパンツ型吸収性物品であって、
前記吸収性コアは、着用者の腹部に当接する前身頃域、着用者の股下に当接する股下域、及び、着用者の臀部に当接する後身頃域を有し、
前記前身頃域に前記圧搾領域が設けられ、前記後身頃域に前記圧搾領域が設けられていないこと、
を特徴とするパンツ型吸収性物品。
【請求項７】
請求項６に記載のパンツ型吸収性物品であって、
前記股下域に比べて前記後身頃域の方が、前記吸収性コアの坪量が低いことを特徴とするパンツ型吸収性物品。
【請求項８】
請求項１から請求項７の何れか１項に記載のパンツ型吸収性物品であって、
前記縦方向における前記接合部の中心位置よりも上側に前記吸収性コアが存在しないことを特徴とするパンツ型吸収性物品。
【請求項９】
請求項１から請求項８の何れか１項に記載のパンツ型吸収性物品であって、
前記縦中心線と前記前側の前記接合部との成す角度が、前記縦中心線と前記後側の前記接合部との成す角度よりも大きいことを特徴とするパンツ型吸収性物品。
【発明の詳細な説明】
【技術分野】
【０００１】
本発明は、パンツ型吸収性物品に関する。
【背景技術】
【０００２】
パンツ型吸収性物品として、例えば特許文献１には、液保持性の吸収性本体を備え、着用者の腹側に位置する腹側部及び背側に位置する背側部それぞれの両側縁部が接合され、ウェスト開口部及び一対のレッグ開口部が形成されているものが開示されている。このパンツ型吸収性物品では、フィット性向上のために、ウェスト開口部の全周に亘って弾性部材が配され、また、臀部当接部には幅方向に沿う複数の弾性部材が吸収性本体の長手方向に並んで配されている。
【先行技術文献】
【特許文献】
【０００３】
【特許文献１】特開２０００−２８８０１７号公報
【発明の概要】
【発明が解決しようとする課題】
【０００４】
上記のように弾性部材が配されたパンツ型吸収性物品は、下着らしさが薄く、外観が好まれない傾向にある。そこで、下着らしさを向上させるため、吸収性本体の横方向の両側に一対の伸縮性のベルト部を配し、吸収性本体と各ベルト部を接合した一対の接合部間に弾性部材を設けない等したパンツ型吸収性物品が考えられる。但しこのようなパンツ型吸収性物品の場合、吸収性本体が一対のベルト部に引っ張られ、吸収性本体が備える吸収性コアに皺やよれが生じるおそれがある。そうすると排泄物の漏れに繋がってしまう。
【０００５】
本発明は、上記のような従来の問題に鑑みてなされたものであって、その目的は、下着らしい外観を得つつ、排泄物の漏れが抑制されたパンツ型吸収性物品を提供することにある。
【課題を解決するための手段】
【０００６】
上記目的を達成するための主たる発明は、縦方向と横方向と前後方向とを有し、胴回り開口部及び一対の脚回り開口部が形成されているパンツ型吸収性物品であって、吸収性コアを備え、前記縦方向に沿った吸収性本体と、前記吸収性本体の前記横方向の両側にそれぞれ配され、前記横方向に伸縮する一対のベルト部と、を有し、少なくとも前記吸収性本体と前記一対のベルト部のそれぞれとを接合する一対の接合部が、前記前後方向の前側及び後側にそれぞれ設けられ、前記接合部は、前記縦方向において、前記胴回り開口部側から前記脚回り開口部に向かって、前記横方向の外側へ傾斜しており、前記前後方向の少なくとも一方側において、前記一対の接合部間は前記横方向に伸縮せず、前記吸収性コアは、前記吸収性コアの密度が周囲に比べて高く、厚さ方向に凹んでいる圧搾領域を有しており、前記圧搾領域は、前記一対の接合部のうちの少なくとも一方の前記接合部に対する垂線と交差する方向に長さを有する領域であって、前記垂線上に存在し、且つ、前記吸収性本体を前記横方向に二分する縦中心線に対して、当該接合部と前記横方向の同じ側に存在すること、を特徴とするパンツ型吸収性物品である。
本発明の他の特徴については、本明細書及び添付図面の記載により明らかにする。
【発明の効果】
【０００７】
本発明によれば、下着らしい外観を得つつ、排泄物の漏れが抑制されたパンツ型吸収性物品を提供することができる。
【図面の簡単な説明】
【０００８】
【図１】パンツ型吸収性物品１の概略斜視図である。
【図２】図２Ａは吸収性物品１の平面状態且つ伸長状態の概略図であり、図２Ｂは図２Ａ中の概略Ｂ−Ｂ断面図である。
【図３】図３Ａは図２Ａの吸収性物品１の接合部２を解いてベルト部２０を横方向の外側に開いた概略図であり、図３Ｂは図３Ａ中の概略Ｂ−Ｂ断面図である。
【図４】平面状態且つ伸長状態である吸収性物品１の概略平面図及び吸収性コア１２１の断面図である。
【図５】平面状態且つ伸長状態である吸収性物品１の概略平面図である。
【図６】圧搾領域４０の平面図である。
【発明を実施するための形態】
【０００９】
本明細書及び添付図面の記載により、少なくとも以下の事項が明らかとなる。
【００１０】
縦方向と横方向と前後方向とを有し、胴回り開口部及び一対の脚回り開口部が形成されているパンツ型吸収性物品であって、吸収性コアを備え、前記縦方向に沿った吸収性本体と、前記吸収性本体の前記横方向の両側にそれぞれ配され、前記横方向に伸縮する一対のベルト部と、を有し、少なくとも前記吸収性本体と前記一対のベルト部のそれぞれとを接合する一対の接合部が、前記前後方向の前側及び後側にそれぞれ設けられ、前記接合部は、前記縦方向において、前記胴回り開口部側から前記脚回り開口部に向かって、前記横方向の外側へ傾斜しており、前記前後方向の少なくとも一方側において、前記一対の接合部間は前記横方向に伸縮せず、前記吸収性コアは、前記吸収性コアの密度が周囲に比べて高く、厚さ方向に凹んでいる圧搾領域を有しており、前記圧搾領域は、前記一対の接合部のうちの少なくとも一方の前記接合部に対する垂線と交差する方向に長さを有する領域であって、前記垂線上に存在し、且つ、前記吸収性本体を前記横方向に二分する縦中心線に対して、当該接合部と前記横方向の同じ側に存在すること、を特徴とするパンツ型吸収性物品である。
このようなパンツ型吸収性物品によれば、下着らしい外観が得られる。また、着用時にベルト部が引き上げられると、接合部に沿う方向に幅入りしようとする力が吸収性コアに働くが、圧搾領域がその力に抗して吸収性コアを平面形状に保とうとする。そのため、吸収性コアに生じる皺やよれを軽減でき、排泄物の漏れを抑制できる。
【００１１】
かかるパンツ型吸収性物品であって、前記圧搾領域は前記垂線に交差していることを特徴とするパンツ型吸収性物品。
このようなパンツ型吸収性物品によれば、吸収性コアに生じる皺やよれをより一層軽減できる。
【００１２】
かかるパンツ型吸収性物品であって、前記圧搾領域が前記長さを有する方向と前記垂線との成す角度が４５度以上１３５度以下であることを特徴とするパンツ型吸収性物品。
このようなパンツ型吸収性物品によれば、幅入りしようとする力に対して圧搾領域が効率よく抗することができ、吸収性コアに生じる皺やよれをより一層軽減できる。
【００１３】
かかるパンツ型吸収性物品であって、前記垂線は前記接合部の垂直二等分線であることを特徴とするパンツ型吸収性物品。
このようなパンツ型吸収性物品によれば、着用時にベルト部から吸収性本体にかかる引き上げ力が接合部の垂直二等分線上において強くなるため、皺やよれが生じ易い領域に圧搾領域を設けることができる。よって、吸収性コアに生じる皺やよれをより確実に軽減できる。
【００１４】
かかるパンツ型吸収性物品であって、前記吸収性コアは、着用者の腹部に当接する前身頃域、着用者の股下に当接する股下域、及び、着用者の臀部に当接する後身頃域を有し、前記前身頃域と前記後身頃域の少なくとも一方から前記股下域にかけて、前記圧搾領域が連続しているか、又は、前記前身頃域と前記後身頃域の少なくとも一方から前記股下域にかけて、前記圧搾領域と、単数又は複数の別の圧搾領域とが、前記縦方向に並び、且つ、前記縦方向に隣り合う前記圧搾領域と前記別の圧搾領域との前記縦方向の間隔、及び、前記縦方向に隣り合う前記別の圧搾領域同士の前記縦方向の間隔が、前記圧搾領域の前記縦方向の長さよりも短いこと、を特徴とするパンツ型吸収性物品。
このようなパンツ型吸収性物品によれば、前身頃域又は後身頃域から股下域にかけて、圧搾領域が縦方向にほぼ連続することになり、ベルト部からの引き上げ力が股下域まで伝達され易い。よって、股下域を着用者の排泄部に密着させることができ、排泄物の漏れをより一層抑制できる。
【００１５】
かかるパンツ型吸収性物品であって、前記吸収性コアは、着用者の腹部に当接する前身頃域、着用者の股下に当接する股下域、及び、着用者の臀部に当接する後身頃域を有し、前記前身頃域に前記圧搾領域が設けられ、前記後身頃域に前記圧搾領域が設けられていないこと、を特徴とするパンツ型吸収性物品。
このようなパンツ型吸収性物品によれば、後身頃域の剛性を低くでき、後身頃域が着用者の臀部に合わせて変形し易く、フィット性が増す。よって、排泄物の漏れをより一層抑制できる。
【００１６】
かかるパンツ型吸収性物品であって、前記股下域に比べて前記後身頃域の方が、前記吸収性コアの坪量が低いことを特徴とするパンツ型吸収性物品。
このようなパンツ型吸収性物品によれば、後身頃域の剛性をより低くでき、後身頃域を着用者の臀部にフィットさせることができる。よって、排泄物の漏れをより一層抑制できる。
【００１７】
かかるパンツ型吸収性物品であって、前記縦方向における前記接合部の中心位置よりも上側に前記吸収性コアが存在しないことを特徴とするパンツ型吸収性物品。
このようなパンツ型吸収性物品によれば、吸収性コアによる膨らみを小さくでき、より下着らしい外観が得られる。
【００１８】
かかるパンツ型吸収性物品であって、前記縦中心線と前記前側の前記接合部との成す角度が、前記縦中心線と前記後側の前記接合部との成す角度よりも大きいことを特徴とするパンツ型吸収性物品。
このようなパンツ型吸収性物品によれば、ベルト部が着用者の脚の動きを阻害してしまうことを抑制できる。また、臀部上方の仙骨部周辺まで吸収性物品を引き上げられるため、フィット性が増し、排泄物の漏れを抑制できる。
【００１９】
＝＝＝吸収性物品１の基本構成＝＝＝
図１はパンツ型吸収性物品１（以下、吸収性物品１）の概略斜視図である。図２Ａは吸収性物品１において吸収性本体１０の長手方向とベルト部２０の長手方向とが揃った平面状態且つ伸長状態の概略図である。図２Ｂは図２Ａ中の概略Ｂ−Ｂ断面図である。図３Ａは図２Ａの平面状態である吸収性物品１の接合部２を解いてベルト部２０を横方向の外側に開いた概略図である。図３Ｂは図３Ａ中の概略Ｂ−Ｂ断面図である。なお、図２Ｂ及び図３Ｂ中の波形線やハッチング部は、厚さ方向に隣り合う部材を接合する接着剤や溶着箇所を示したものである。図４は平面状態且つ伸長状態である吸収性物品１の概略図である。
【００２０】
吸収性物品１は、例えば生理用品、大人用・乳児用のおむつとして利用可能であり、図１に示すパンツ型状態において、互いに直交する縦方向と横方向と前後方向とを有する。また、吸収性物品１には、胴回り開口部ＢＨ、及び、一対の脚回り開口部ＬＨが形成されている。縦方向において、胴回り開口部ＢＨ側を上側とし、着用者の股下に対応する側を下側とする。前後方向において、着用者の腹側に対応する側を前側とし、着用者の背側に対応する側を後側とする。また、吸収性物品１は厚さ方向を有し、厚さ方向において着用者に接触する側を肌側とし、その逆側を非肌側とする。
【００２１】
また、吸収性物品１は、パンツ型状態において、縦方向に長手方向を沿わせつつ長手方向の略中央で２つ折りされた吸収性本体１０と、吸収性本体１０の横方向の両側にそれぞれ配され、横方向に伸縮する一対のベルト部２０と、吸収性本体１０の長手方向に沿って吸収性本体１０の横方向の両側にそれぞれ配された一対のレッグギャザー部３０とを有する。以下の説明では、一対のベルト部２０のうち横方向の一方側のものを第１ベルト部２１、横方向の他方側のものを第２ベルト部２２とも呼ぶ。また、一対のレッグギャザー部３０のうち横方向の一方側のものを第１レッグギャザー部３１、横方向の他方側のものを第２レッグギャザー部３２とも呼ぶ。
【００２２】
また、吸収性物品１には、吸収性本体１０及び一対のレッグギャザー部３０のそれぞれに、一対のベルト部２０のそれぞれを接合する一対の接合部２が、前後方向の前側及び後側にそれぞれ設けられている。接合部２は、縦方向において、胴回り開口部側ＢＨから脚回り開口部ＬＨに向かって、横方向の外側へ傾斜している。
【００２３】
具体的には、前後の第１接合部２Ａにおいて、吸収性本体１０の縦方向の上方且つ横方向の一方側の側部、及び、第１レッグギャザー部３１の縦方向の上端部に、第１ベルト部２１の横方向の内側端部が接合されている。また、前後の第２接合部２Ｂにおいて、吸収性本体１０の縦方向の上方且つ横方向の他方側の側部、及び、第２レッグギャザー部３２の縦方向の上端部に、第２ベルト部２２の横方向の内側端部が接合されている。
【００２４】
なお、接合部２の形成方法として、例えばヒートシールや超音波シール等の溶着処理や接着剤による接着処理等を例示できる。以下の説明では、一対の接合部２のうち横方向の一方側のものを第１接合部２Ａ、横方向の他方側のものを第２接合部２Ｂとも呼ぶ。また、接合部２は、非肌側面に形成され、且つ、脚回り開口部ＬＨまで達していないことが好ましい。そうすることで、他の部位に比べて硬い接合部２が着用者に接触することを防ぎ、着け心地が向上する。
【００２５】
また、第１接合部２Ａの縦方向の上端２Ａ１と第２接合部２Ｂの縦方向の上端２Ｂ１とが横方向に離間している。よって、パンツ型状態の吸収性物品１において、胴回り開口部ＢＨは、一対のベルト部２０の縦方向の上端部、及び、吸収性本体１０の前後の縦方向の上端部により形成されている。脚回り開口部ＬＨは、ベルト部２０の縦方向の下端部、及び、レッグギャザー部３０の横方向の外側の側部により形成されている。ベルト部２０において胴回り開口部ＢＨとなる部位が図２Ｂに示すように複数回折り返されており、丈夫且つ着用者の肌への負担が軽減される構造になっている。
【００２６】
吸収性物品１はその製造過程の最終段階で図２Ａに示す平面状態となる。平面状態では、吸収性本体１０、一対のベルト部２０、及び、一対のレッグギャザー部３０の各長手方向が揃っている。また、互いの肌側面が対向するように、吸収性本体１０及び一対のレッグギャザー部３０の上に一対のベルト部２０が重ねられている。この平面状態の吸収性物品１において、一対のベルト部２０の横方向内側の各端部２０ａをそれぞれ横方向の外側に引っ張りながら、吸収性本体１０を長手方向の略中央で二つ折りすると、吸収性物品１は図１のパンツ型状態になる。
【００２７】
平面状態では、吸収性物品１を長手方向に伸長させた状態にしている。この「伸長させた状態」とは、吸収性物品１に配置された各弾性部材（後述するベルト部２０の糸状弾性部材２１等）による収縮力に抗して吸収性物品１を長手方向に伸長させ、各弾性部材が配置されている部分において実質的に皺やギャザーが視認できなくなる程度まで吸収性物品１を伸長させた状態である。つまり、吸収性物品１を構成する各部材（後述するシート部材５０における２枚のシート５１等）の寸法がその部材単体の寸法と一致又はそれに近い長さになるまで伸長させた状態である。
【００２８】
＜吸収性本体１０＞
吸収性本体１０では、厚さ方向の肌側から順に、トップシート１１と、吸収体１２と、バックシート１３と、外装シート１４が積層されている。また、吸収性本体１０の長手方向の両端部（パンツ型状態における縦方向の上端部）には、吸収体１２よりも厚さ方向の肌側に、一対の端部シート１５が設けられている。
【００２９】
トップシート１１は液透過性シートであればよく、エアスルー不織布等を例示できる。バックシート１３は液不透過性シートであればよく、ポリエチレンフィルムやポリプロピレンフィルム等を例示できる。トップシート１１及びバックシート１３は吸収体１２全体を覆う大きさとする。本実施形態のトップシート１１は横方向の両側部が吸収体１２の非肌側面側に折り込まれている。外装シート１４及び端部シート１５は液透過性シートでも液不透過性シートでもよく、不織布等の柔軟なシートであることが好ましい。
【００３０】
吸収体１２は、液体を吸収する吸収性コア１２１、及び、吸収性コア１２１の外周面を被覆するコアラップシート１２２を備えている。吸収性コア１２１は、液体吸収性素材が所定の形状に成形されたものであり、本実施形態では長手方向の両端が湾曲した略長方形状をなしている。液体吸収性素材としては、パルプ繊維等の液体吸収性繊維に高吸収性ポリマー（所謂ＳＡＰ）等が含有されたものを例示できる。コアラップシート１２２としては、ティッシュペーパーや不織布等の液透過性シートを例示できる。なお、コアラップシート１２２はなくてもよい。
【００３１】
また、吸収性本体１０（吸収性コア１２１）は複数の圧搾領域４０を有する。圧搾領域４０は、厚さ方向において少なくとも吸収性コア１２１の一部が圧搾された（エンボス加工された）領域であり、吸収性コア１２１の密度が周囲に比べて高く、厚さ方向に凹んでいる領域である。具体的には、圧搾領域４０として、厚さ方向の肌側からトップシート１１及び吸収体１２の厚さ方向の全部が圧搾された形態、トップシート１１及び吸収体１２の厚さ方向の一部が圧搾された形態、厚さ方向の非肌側からバックシート１３及び吸収体１２が圧搾された形態等を例示できる。
【００３２】
なお、圧搾領域４０と周囲との密度の比較は周知の方法で行えばよい。例えば、吸収性コア１２１を厚さ方向に切った断面を電子顕微鏡等により撮影し、圧搾領域４０と周囲の部位とで密度差を目視で比較したり、各部位の液体吸収性素材の数を数えて比較したりするとよい。その他、圧搾領域４０と周囲の部位とを吸収性コア１２１から切り出して、各部位の質量を面積で除することで坪量（ｇ／ｃｍ2）を算出し、その坪量を厚さで除することで密度（ｇ／ｃｍ3）を算出して比較してもよい。
【００３３】
＜ベルト部２０及びレッグギャザー部３０＞
パンツ型状態の吸収性物品１において、ベルト部２０は横方向に伸縮し、レッグギャザー部３０は縦方向に伸縮する。よって、吸収性物品１は着用者の胴回りや脚回りにフィットする。そのために、ベルト部２０では、ベルト部２０の長手方向（略横方向）に沿った複数の糸状弾性部材２３がベルト部２０の幅方向（略縦方向）に並ぶ。レッグギャザー部３０では、縦方向に沿った複数（ここでは２本）の糸状弾性部材３３が横方向に並ぶ。そして、ベルト部２０及びレッグギャザー部３０の脚回り開口部ＬＨに沿う部位にシート状弾性部材５２が配置されている。
【００３４】
なお、糸状弾性部材２３，３３としては糸ゴム等を例示できる。また、シート状弾性部材５２としては、ポリウレタン系エラストマー等の略弾性を示すエラストマー繊維とポリオレフィン系樹脂等の略非弾性を示す熱可塑性樹脂繊維とを有した不織布に対して所謂ギア延伸加工を施して伸縮性が発現した不織布等を例示できる。
【００３５】
本実施形態では図３に示すようにベルト部２０及びレッグギャザー部３０が同一のシート部材５０で形成されている。シート部材５０では、２枚のシート５１の間に、ベルト部２０及びレッグギャザー部３０の糸状弾性部材２３，３３と、シート状弾性部材５２とが、伸長状態で固定されている。２枚のシート５１は不織布等の柔軟なシートであることが好ましい。また、シート部材５０のうちシート状弾性部材５２が存在する部位に、脚回り開口部用の孔（ＬＨ）がくり抜かれている。
【００３６】
吸収性物品１の製造過程では、吸収性本体１０の横方向の両側に一対のシート部材５０が配置される。詳しくは、吸収体１２とバックシート１３の間に各シート部材５０の横方向内側の端部が介挿され接合される。そして、シート部材５０の長手方向に沿い且つ脚回り開口部用の孔（ＬＨ）を通過する折り返し線ＦＬにて、シート部材５０は吸収性本体１０の肌側面側に折り返される。シート部材５０のうち折り返し線ＦＬを境に吸収性本体１０と厚さ方向に重なる部位がベルト部２０となり、吸収性本体１０と横方向に並ぶ部位がレッグギャザー部３０となる。そして、一対の接合部２が形成されることで、シート部材５０の折り返し状態が固定され、図２に示す平面状態の吸収性物品１が形成される。なお、ベルト部２０とレッグギャザー部３０が別部材で形成されていてもよい。
【００３７】
＝＝＝圧搾領域４０＝＝＝
図４及び図５は平面状態且つ伸長状態である吸収性物品１の概略平面図である。図６は圧搾領域４０の平面図である。図４には吸収性物品１の左側及び下側に吸収性コア１２１の厚さ（坪量）を表す断面も示す。
【００３８】
吸収性コア１２１は、図４に示すように、着用者の腹部に当接する前身頃域１２１Ａ、着用者の股下に当接する股下域１２１Ｂ、及び、着用者の臀部に当接する後身頃域１２１Ｃを有する。股下域１２１Ｂにおいて吸収性コア１２１の横方向の両側部は横方向の内側へ若干くびれている。また前述のように吸収性本体１０は、吸収性コア１２１の厚さ方向の少なくとも一部が圧搾された複数の圧搾領域４０を有する。複数の圧搾領域４０は吸収性本体１０を横方向に二分する縦中心線ＣＬ１に対して対称な形状を成す。
【００３９】
具体的には、吸収性コア１２１の前身頃域１２１Ａに、長手方向の前側から、略円形であり横方向の中央に位置する第１圧搾領域４１と、長手方向に延び且つ横方向に間隔を空けて並ぶ一対の第２圧搾領域４２及び一対の第３圧搾領域４３と、一対の第３圧搾領域４３間を横方向に延びる第４圧搾領域４４が設けられている。股下域１２１Ｂには、股下域１２１Ｂのほぼ全域に亘って長手方向に延び且つ横方向に間隔を空けて並ぶ一対の第５圧搾領域４５が設けられている。後身頃域１２１Ｃの長手方向の前側には、長手方向に延び且つ横方向に間隔を空けて並ぶ一対の第６圧搾領域４６、一対の第７圧搾領域４７、及び一対の第８圧搾領域４８が設けられている。
【００４０】
圧搾領域４０は、その領域の全域が凹んだ溝状の領域であってもよいし、複数の凹部が間隔を空けて並び断続的に凹んだ領域であってもよい。本実施形態の圧搾領域４０では、図６に示すように平面形状が正方形である複数の凹部４０Ａが並んでいる。凹部４０Ａの平面形状は正方形以外の形状であってもよい。また、圧搾領域４０が異なる平面形状の凹部４０Ａを有していてもよい。また異なる深さの凹部４０Ａが混在していてもよい。また、圧搾領域４０内での凹部４０Ａの間隔（外形同士の間隔）は、その圧搾領域４０が１つのパターンと視認される程の狭い間隔とする。具体的には、圧搾領域４０が有する最大の凹部４０Ａの最大長さ（例えば図６のｄ１）よりも凹部４０Ａの間隔（例えば図６のｄ２）が狭いものとする。
【００４１】
ところで、パンツ型の吸収性物品１では、特に女性用品である生理用として利用される場合や大人用のおむつとして利用される場合に、下着らしい外観が求められる。前述のように、吸収性物品１では、一対の接合部２がそれぞれ、縦方向において、胴回り開口部ＢＨ側から脚回り開口部ＬＨ側に向かって、横方向の外側へ傾斜している。そのため、例えば接合部が縦方向に沿ったものに比べると、吸収性物品１は下着らしい外観となっている。また、一対の接合部２間には横方向に沿う弾性部材が配されず、一対の接合部２間は横方向に伸縮しない。そのため、例えば胴回りの全周に亘って糸状弾性部材が配されたものに比べると、吸収性物品１は下着らしい外観となっている。
【００４２】
また、一対の接合部２間を横方向に伸縮させないことで、伸縮領域が減り、締め付け感を抑えられる。また、歩行時等に吸収性物品１の前後に動く臀部や脚の動きが弾性部材に阻害されない。よって、吸収性物品１では着け心地も向上する。
【００４３】
その一方で、吸収性物品１の着用時、一対のベルト部２０はそれぞれ横方向の外側であり斜め上方へ引き上げられる。それに伴って、吸収性本体１０は一対の接合部２を介して横方向の両外側であり接合部２の直交方向へ引っ張られる。そうすると、一対の接合部２間及びその近傍の吸収性本体１０には、図５に示すように、接合部２に沿う方向に幅入りしようとする力Ｆが働く。しかし吸収性物品１では一対の接合部２間の吸収性本体１０を着用者に密着させる弾性部材が配されていない。そのため、幅入りしようとする力Ｆによって、一対の接合部２間及びその近傍の吸収性本体１０に皺やよれが生じ易くなっている。例えば横方向に沿う皺や接合部２に直交する方向に沿う皺が生じ易くなっている。また、吸収性本体１０のうち特に吸収性コア１２１に皺やよれが生じると、排泄物が漏れ易くなってしまう。
【００４４】
そこで、吸収性物品１では、一対の接合部２のうちの少なくとも一方の接合部２の垂直二等分線Ｌｂと交差する方向に長さを有する圧搾領域４０であって、その垂直二等分線Ｌｂ上に存在し、且つ、縦中心線ＣＬ１に対して、その接合部２と横方向の同じ側に存在する圧搾領域４０を、吸収性コア１２１が有するようにしている。このような圧搾領域４０（本発明における圧搾領域）を別の圧搾領域４０と区別するために、以下の説明では「主圧搾領域」とも呼ぶ。なお、接合部２が幅を有する領域である場合、接合部２の一端（例えば図５の２Ａ１）上の或る点と、接合部２の他端（例えば図５の２Ａ２）上の或る点とを繋ぐ線の垂直二等分線を、接合部２の垂直二等分線Ｌｂとするとよい。
【００４５】
本実施形態では第１圧搾領域４１が主圧搾領域に相当する。具体的には、前後方向（長手方向）の前側において、第１圧搾領域４１は、図６に示すように、前側の第１接合部２Ａの垂直二等分線Ｌｂ１と交差する方向Ｄ１に長さｄ３を有し、且つ、その垂直二等分線Ｌｂ１上に存在する。そして、第１圧搾領域４１において垂直二等分線Ｌｂ１と交差する方向Ｄ１に長さｄ３を有する部位が、縦中心線ＣＬ１に対して第１接合部２Ａと横方向の同じ側に存在する。また、第１圧搾領域４１は、前側の第２接合部２Ｂの垂直二等分線Ｌｂ２と交差する方向にも長さｄ４を有し、その長さｄ４を有する部位が垂直二等分線Ｌｂ２上に存在し、且つ、縦中心線ＣＬ１に対して第２接合部２Ｂと横方向の同じ側に存在する。
【００４６】
圧搾領域４０が設けられた吸収性コア１２１の部位は剛性が高まり変形し難くなる。そのため、上記のように、接合部２に沿う方向に幅入りしようとする力Ｆが働く吸収性コア１２１に、接合部２に沿う方向又はそれに近い方向、つまり、接合部２の垂直二等分線Ｌｂと交差する方向に長さを有する主圧搾領域を設けるとよい。そうすることで、その主圧搾領域（本実施形態では第１圧搾領域４１）が幅入りしようとする力Ｆに抗して吸収性コア１２１を平面形状に保とうとする。よって、一対の接合部２間及びその近傍の吸収性コア１２１に生じる皺やよれを軽減できる。その結果、排泄物の漏れを抑制できる。また、着用者の着け心地や外観も向上する。
【００４７】
また、吸収性物品１の引き上げ時、ベルト部２０からの引き上げ力は、接合部２の中心を基点に吸収性本体１０に掛かり、接合部２の垂直二等分線Ｌｂ上において強くなる。そのため、圧搾領域４０（第１圧搾領域４１）を垂直二等分線Ｌｂ上に存在させることで、吸収性コア１２１の皺やよれをより確実に軽減できる。つまり、垂直二等分線Ｌｂ上やその近傍の、皺やよれが生じ易い部位に、圧搾領域４０が設けられることになり、吸収性コア１２１の平面形状がより保たれ易くなる。
【００４８】
また、第１接合部２Ａを介した第１ベルト部２１からの引っ張り力は主に、縦中心線ＣＬ１に対して、第１接合部２Ａ側の吸収性コア１２１に働き、第２接合部２Ｂを介した第２ベルト部２２からの引っ張り力は主に、縦中心線ＣＬ１に対して、第２接合部２Ｂ側の吸収性コア１２１に働く。そのため、ある接合部２の垂直二等分線Ｌｂと交差する方向に長さを有する等した主圧搾領域を、縦中心線ＣＬ１に対して、その接合部２と横方向の同じ側に設けるとよい。
【００４９】
なお、接合部２の垂直二等分線Ｌｂと交差する方向に圧搾領域４０が有する長さは、圧搾領域４０の幅長さでもよいが、圧搾領域４０が延びる方向の長さであることが好ましい。例えば圧搾領域４０が有する複数の凹部４０Ａが並ぶ方向の長さや圧搾領域４０の溝が延びる方向の長さであることが好ましい。そうすることで、垂直二等分線Ｌｂと交差する方向の広い範囲に亘って圧搾領域４０が存在することになり、吸収性コア１２１の平面形状がより保たれ易くなる。よって、吸収性コア１２１の皺やよれをより一層軽減できる。
【００５０】
また、第１接合部２Ａ側の皺等を軽減する主圧搾領域と、第２接合部２Ｂ側の皺等を軽減する主圧搾領域とが異なっていてもよい。例えば、横方向一方側の第２圧搾領域４２は第１接合部２Ａの垂直二等分線Ｌｂ１と交差する方向に長さを有し、横方向他方側の第２圧搾領域４２は第２接合部２Ｂの垂直二等分線Ｌｂ２と交差する方向に長さを有する。そのため、図示しないが、垂直二等分線Ｌｂ１が横方向一方側の第２圧搾領域４２を通過し、垂直二等分線Ｌｂ２が横方向他方側の第２圧搾領域４２を通過するようにしてもよい。
【００５１】
また、吸収性コア１２１が有する複数の圧搾領域４０が縦中心線ＣＬ１に対して非対称な形状であってもよい。そのため、吸収性コア１２１が、一対の接合部２のうちの一方の接合部２側の皺等を軽減する主圧搾領域を有するが、他方の接合部２側の皺等を軽減する主圧搾領域を有さない形態でもよい。
【００５２】
また、主圧搾領域が接合部２の垂直二等分線Ｌｂ上に存在するとは、主圧搾領域の端が垂直二等分線Ｌｂ上に位置するだけでもよい。但し、主圧搾領域が垂直二等分線Ｌｂに交差していることが好ましい。本実施形態では、図６に示すように、第１接合部２Ａの垂直二等分線Ｌｂ１と交差する方向に長さｄ３を有する第１圧搾領域４１の部位が、垂直二等分線Ｌｂ１と交差している。また、第２接合部２Ｂの垂直二等分線Ｌｂ２と交差する方向に長さｄ４を有する第１圧搾領域４１の部位が、垂直二等分線Ｌｂ２と交差している。そうすることで、ベルト部２からの引っ張り力が強く働く部位、つまり皺やよれが生じ易い部位の広い範囲に亘って主圧搾領域が設けられ、吸収性コア１２１の平面形状が保たれ易くなる。よって、吸収性コア１２１に生じる皺やよれをより一層軽減できる。
【００５３】
また、主圧搾領域が垂直二等分線Ｌｂと交差する方向に長さを有する方向と、垂直二等分線Ｌｂとの成す角度が４５度以上１３５度以下であることが好ましい。本実施形態では例えば図６に示すように、第１圧搾領域４１が長さｄ３を有する方向Ｄ１と、第１接合部２Ａの垂直二等分線Ｌｂ１との成す角度θ１が４５度以上１３５度以下となっている。吸収性コア１２１には接合部２に沿う方向に幅入りしようとする力Ｆが働くため、接合部２に沿う方向又はそれに近い方向に主圧搾領域（第１圧搾領域４１）が延びて長さを有するとよい。そのため、接合部２の垂直二等分線Ｌｂとの成す角度が９０度に近い方向、つまり垂直二等分線Ｌｂとの成す角度が４５度以上１３５度以下の範囲である方向に、主圧搾領域が延びて長さを有するとよい。そうすることで、主圧搾領域が幅入りしようとする力Ｆに対して効率よく確実に抗することができる。よって、吸収性コア１２１に生じる皺やよれをより一層軽減できる。
【００５４】
また、接合部２に沿う方向に延びた直線状の主圧搾領域が最も効率よく吸収性コア１２１の皺やよれを軽減できる。但し本実施形態の圧搾領域４０のようにデザイン性の高い曲線状の圧搾領域４０が採用されることが多い。主圧搾領域が曲線状である場合、主圧搾領域は複数の方向に長さを有する。よって、主圧搾領域が長さを有する複数の方向のうちの少なくとも一方向と、垂直二等分線Ｌｂとの成す角度が４５度以上１３５度であるとよい。なお、主圧搾領域が長さを有する方向としては、例えば、主圧搾領域の或る部位における幅方向に直交する方向や、主圧搾領域の横方向の一端と他端を繋ぐ方向や、主圧搾領域の近似直線に沿う方向等を例示できる。
【００５５】
また、吸収性コア１２１が主圧搾領域である第１圧搾領域４１以外の圧搾領域４０を有していなくてもよい。
但し、一対の接合部２間及びその近傍の第２圧搾領域４２及び第３圧搾領域４３が、接合部２の垂直二等分線Ｌｂと交差する方向に長さ（図６のｄ５，ｄ６）を有する。そのため、垂直二等分線Ｌｂと交差する方向の広い範囲に亘って圧搾領域４０が存在し、吸収性コア１２１の平面形状が保たれ易くなる。よって、吸収性コア１２１に生じる皺やよれをより一層軽減できる。
また、一対の第５〜第８圧搾領域４５〜４８によって、吸収性コア１２１の横方向の中央部は、着用者側に凸に変形し易く、着用者の排泄部や臀部の割れ目に密着し易い。よって、排泄物の漏れをより抑制できる。
【００５６】
また、第２圧搾領域４２と第３圧搾領域４３の接線（例えば図６のＬ３）や、第１圧搾領域４１と第２圧搾領域４２の接線（不図示）が、接合部２の垂直二等分線Ｌｂと成す角度（例えば図６のθ２）も、４５度以上１３５度以下であることが好ましい。つまり、幅入りしようとする方向である、接合部２に沿う方向又はそれに近い方向に沿って、複数の圧搾領域４０が並ぶようにするとよい。そうすることで、複数の圧搾領域４０によって幅入りしようとする力Ｆに抗することができ、吸収性コア１２１に生じる皺やよれをより一層軽減できる。
【００５７】
また、図示しないが、吸収性物品１が主圧搾領域（本実施形態における第１圧搾領域４１）を有さない形態であってもよい。つまり、一対の接合部２のうちの少なくとも一方の接合部２に対する垂線と交差する方向に長さを有する圧搾領域４０であって、その垂線上に存在し、且つ、縦中心線ＣＬ１に対して、その接合部２と横方向の同じ側に存在する圧搾領域４０（本実施形態における第２圧搾領域４２や第３圧搾領域４３等）を少なくとも吸収性コア１２１が有していればよい。前記垂線は接合部２の何れの位置から引いた垂線であってもよい。
【００５８】
この場合にも、接合部２に沿う方向に幅入りしようとする力Ｆに対して、接合部２に沿う方向又はそれに近い方向、つまり、接合部２に対する垂線と交差する方向に長さを有する圧搾領域４０によって、吸収性コア１２１が平面形状に保たれ易くなる。よって、一対の接合部２間及びその近傍の吸収性コア１２１に生じる皺やよれを軽減できる。また、この場合にも、圧搾領域４０が垂線と交差していたり、圧搾領域４０が長さを有する方向と垂線との成す角度が４５度以上１３５度以下であったりすると、上記と同様の効果が得られるため、より好ましい。
【００５９】
また、吸収性物品１の着用時、吸収性物品１がある程度引き上げられた後、着用者の股下に吸収性本体１０がフィットするように、ベルト部２０の下端側から手が入れられて、吸収性物品１が更に引き上げられることが多い。この場合、接合部２の下端部を基点に力が掛かり、接合部２の下端部に対して引いた垂線上において、吸収性コア１２１の皺やよれが生じ易くなる。そこで、接合部２の下端部から引いた垂線上に、その垂線と交差する方向に長さを有する圧搾領域（本実施形態における第３圧搾領域４３や第５圧搾領域４５）を、吸収性コア１２１に設けるとよい。そうすることで、吸収性コア１２１に生じる皺やよれをより確実に軽減できる。
【００６０】
また、パンツ型状態の吸収性物品１において、縦方向における接合部２の中心位置よりも上側に吸収性コア１２１が存在しないことが好ましい。本実施形態では、図５に示すように、第１接合部２Ａの上端２Ａ１から縦方向の長さｄ７だけ下側であり、第１接合部２Ａの下端２Ａ２から縦方向の長さｄ７だけ上側である中心位置ＣＬ２よりも下側に、吸収性コア１２１の上端１２１ａが位置している。吸収性コア１２１は厚みがあり、外観からも吸収性コア１２１の膨らみが分かってしまう。そのため、吸収性コア１２１を必要以上に長くしないことで、より下着らしい外観が得られる。
【００６１】
また、吸収性本体１０において、吸収性コア１２１よりも上方のシートのみから構成される領域１０Ａに比べて、吸収性コア１２１に皺やよれが生じる方が、排泄物の漏れや着け心地の低下に影響し易い。そのため、上記のように、吸収性コア１２１を必要以上に長くせず、一対の接合部２間及びその近傍において吸収性コア１２１が存在する領域を出来る限り小さくするとよい。そうすることで、皺やよれの生じ易い吸収性コア１２１の領域を小さくできる。
【００６２】
また、吸収性コア１２１に生じる皺やよれは前述のように主圧搾領域（第１圧搾領域４１）にて軽減できるが、シートのみから構成される領域１０Ａには主圧搾領域が存在しない。但し、一対の接合部２の間隔は縦方向の上方に向かうに従って狭くなるため、シートのみから構成される領域１０Ａには横方向に沿う規則的な皺（凹凸の高さなどが等しい皺）が生じ易い。よって、シートのみから構成される領域１０Ａと着用者との密着面積が確保され、排泄物の漏れが抑制される。また、本実施形態の吸収性本体１０には縦方向の上端部、つまりシートのみから構成される領域１０Ａに、端部シート１５が設けられている。よって、シートのみから構成される領域１０Ａの剛性が高まり、皺やよれの発生を軽減できる。
【００６３】
また、吸収性物品１の前後方向の少なくとも一方側に主圧搾領域が設けられていればよい。本実施形態では、図４に示すように、吸収性コア１２１の前身頃域１２１Ａ（前側）に主圧搾領域である第１圧搾領域４１が設けられ、後身頃域１２１Ｃには主圧搾領域が設けられていない。そのため、後身頃域１２１Ｃでは圧搾領域４０が存在する領域を小さくでき、後身頃域１２１Ｃの剛性を低くできる。よって、後身頃域１２１Ｃは着用者の臀部に合わせて変形し易く、フィット性が増し、排泄物の後ろ漏れを抑制できる。
【００６４】
また、吸収性物品１の着用時、前後方向の後側よりも前側が把持され易い。よって、前側に比べて後側の吸収性コア１２１の方が、ベルト部２０からの引っ張り力を受け難く、一対の接合部２間及びその近傍に皺やよれが生じ難い。そのため、後身頃域１２１Ｃに主圧搾領域が設けられていなくとも、吸収性コア１２１の皺やよれによる排泄物の漏れの心配が少ない。
【００６５】
但し上記に限らず、後身頃域１２１Ｃにも主圧搾領域を設けてもよい。また、前身頃域１２１Ａに主圧搾領域（第１圧搾領域４１）を設けず、後身頃域１２１Ｃにだけ主圧搾領域を設けてもよい。
【００６６】
また、図４には、吸収性物品１の左側に、縦中心ＣＬ１における吸収性コア１２１の断面図を示し、吸収性物品１の下側に、股下域１２１Ｂにおける吸収性コア１２１の断面図を示す。図示するように、吸収性コア１２１は厚さの異なる領域を複数有する。また、吸収性コア１２１において、その密度をほぼ一定とする。そのため、吸収性コア１２１は吸収性コア１２１（液体吸収性素材）の坪量が異なる領域を複数有することになる。
【００６７】
具体的には、後身頃域１２１Ｃの長手方向の後側及び前身頃域１２１Ａに「低坪量域１２１Ｄ（例えば厚さが１５ｍｍ）」が設けられ、股下域１２１Ｂの横方向の両側部及び後身頃域１２１Ｃの長手方向の前側に「中坪量域１２１Ｅ（例えば厚さが２５ｍｍ）」が設けられ、股下域１２１Ｂの横方向の中央部に「高坪量域１２１Ｆ（例えば厚さが３５ｍｍ）」が設けられている。
【００６８】
したがって、本実施形態の吸収性コア１２１では、股下域１２１Ｂに比べて後身頃域１２１Ｃの方が、吸収性コア１２１の坪量が低くなっている。そのため、着用者の排泄部に当接する股下域１２１Ｂでは排泄物をしっかりと吸収できる。一方、後身頃域１２１Ｃでは剛性がより低下するため、後身頃域１２１Ｃは着用者の臀部に合わせて変形し易く、フィット性が増す。そのため、排泄物の漏れがより一層抑制される。なお、股下域１２１Ｂと後身頃域１２１Ｃとの坪量の比較は、平均坪量で比較してもよいし、最大坪量で比較してもよい。また、坪量（ｇ／ｃｍ2）の取得方法としては、例えば、吸収性コア１２１から対象となる部位を切り出して質量を測定し、その質量を面積で除する方法を例示できる。
【００６９】
また、吸収性コア１２１では、縦中心線ＣＬ１に対する横方向の両側のそれぞれにおいて、前身頃域１２１Ａから股下域１２１Ｂに掛け、主圧搾領域である第１圧搾領域４１（本発明における圧搾領域）と、第２圧搾領域４２、第３圧搾領域４３、及び第５圧搾領域４５（本発明における別の圧搾領域）とが、ほぼ連続して縦方向（長手方向）に並んでいる。
【００７０】
ほぼ連続して縦方向に並んでいるとは、縦方向に隣り合う圧搾領域４０の縦方向の間隔（例えば図５に示す第３圧搾領域４３と第５圧搾領域４５の縦方向の間隔ｄ８）が、第１圧搾領域４１の縦方向の長さ（図５のｄ９）よりも短くなっている。具体的には、縦方向に隣り合う圧搾領域４０の縦方向の間隔が１ｃｍ以下であるとよい。また、第１圧搾領域４１と第２圧搾領域４２は縦方向において重複しているため、第１圧搾領域４１と第２圧搾領域４２の縦方向の間隔は、第１圧搾領域４１の縦方向の長さ（ｄ９）よりも短いと言える。
【００７１】
上記のように圧搾領域４０が設けられることで、吸収性物品１の着用時に斜め上に引き上げられるベルト部２０からの力が、縦方向にほぼ連続する圧搾領域（第１圧搾領域４１、第２圧搾領域４２、第３圧搾領域４３、第５圧搾領域４５）によって、吸収性コア１２１の前身頃域１２１Ａから股下域１２１Ｂまで伝達され易くなる。よって、股下域１２１Ｂが着用者側に引き上げられ、着用者の排泄口に密着するため、排泄物の漏れをより一層抑制できる。また、フィット性が増し、着け心地も向上する。
【００７２】
なお、後側にも主圧搾領域が設けられる場合には、後身頃域１２１Ｃから股下域１２１Ｂにかけても、主圧搾領域と別の圧搾領域とがほぼ連続して縦方向に並ぶことが好ましい。また、主圧搾領域が前身頃域１２１Ａや後身頃域１２１Ｃから股下域１２１Ｂにかけて連続して延びていてもよい。これらの場合にも上記と同様の効果が得られる。
【００７３】
また、吸収性物品１では、図４に示すように、縦中心線ＣＬ１と前側の接合部２との成す角度θ３が、縦中心線ＣＬ１と後側の接合部２との成す角度θ４よりも大きくなっている。前側の角度θ３は２０〜７０度の範囲、より好ましくは３０〜６０度の範囲であるとよい。後側の角度θ４は１０〜６０度の範囲、より好ましくは２０〜５０度の範囲であるとよい。
【００７４】
そうすることで、接合部２の傾斜が緩やかな前側では、ベルト部２０が横方向の外側に向かって上方に傾斜する傾向となり、逆に後側では、ベルト部２０が横方向の中心に向かって上方に傾斜する傾向となる。そのため、前側では、歩行時等の着用者の脚の動きがベルト部２０により阻害されてしまうことを防止できる。一方、後側では、着用者の臀部上方に位置する仙骨部周辺にまで吸収性物品１を引き上げられる。よって、股下域１２１Ｂでの吸収性物品１のだぶつきを抑えられ、吸収性物品１のフィット性が増すため、排泄物の漏れを抑制できる。但し上記に限らず、角度θ３が角度θ４以下でもよい。
【００７５】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【００７６】
１  吸収性物品（パンツ型吸収性物品）、２  接合部、２Ａ  第１接合部、２Ｂ  第２接合部、１０  吸収性本体、１１  トップシート、１２  吸収体、１２１  吸収性コア、１２１Ａ  前身頃域、１２１Ｂ  股下域、１２１Ｃ  後身頃域、１２１Ｄ  低坪量域、１２１Ｅ  中坪量域、１２１Ｆ  高坪量域、１２２  コアラップシート、１３  バックシート、１４  外装シート、１５  端部シート、２０  ベルト部、２１  第１ベルト部、２２  第２ベルト部、２３  糸状弾性部材、３０  レッグギャザー部、３１  第１レッグギャザー部、３２  第２レッグギャザー部、３３  糸状弾性部材、４０  圧搾領域、４０Ａ  凹部、４１  第１圧搾領域（圧搾領域）、４２  第２圧搾領域（別の圧搾領域）、４３  第３圧搾領域（別の圧搾領域）、４４  第４圧搾領域、４５  第５圧搾領域（別の圧搾領域）、４６  第６圧搾領域、４７  第７圧搾領域、４８  第８圧搾領域、５０  シート部材、５１  シート、５２  シート状弾性部材、ＢＨ  胴回り開口部、ＬＨ  脚回り開口部、ＣＬ１  縦中心線、Ｌｂ  垂線、垂直二等分線
【図１】
2018000268.tif 000003
【図２】
2018000268.tif 000004
【図３】
2018000268.tif 000005
【図４】
2018000268.tif 000006
【図５】
2018000268.tif 000007
【図６】
2018000268.tif 000008